(57)【要約】【課題】本発明の課題は、保温効果が高く且つ、健康の維持及び増進を図ることができる温暖室を提供することである。【解決手段】部屋部３と、部屋部３の室内を加温するヒータ２５とを備える温暖室１において、室内の床１５及び天井１７は桐材で構成し、室内の側壁１３は桐材と珪藻土材で構成するようにした。また、珪藻土材は桐材を下地材としたパネル体であり、珪藻土材は珪藻土と石灰とパルプ材とを主成分とし、これらの成分にマイナスイオン水が混入されるようにした。【選択図】　図１
2004049727.tif 000002
【特許請求の範囲】
【請求項１】
部屋部と、部屋部の室内を加温するヒータとを備える温暖室において、室内の床及び天井は桐材で構成し、室内の側壁は桐材及び珪藻土材で構成されていることを特徴とする温暖室。
【請求項２】
珪藻土材は桐材を下地材としたパネル体であることを特徴とする請求項１記載の温暖室。
【請求項３】
珪藻土材は珪藻土と石灰とパルプ材とを主成分とし、これらの成分にマイナスイオン水が混入されていることを特徴とする請求項１又は２記載の温暖室。
【請求項４】
側壁は室内側と室外側に設けた桐材で断熱材を挟んでいることを特徴とする請求項１記載の温暖室。
【請求項５】
請求項１乃至４記載の温暖室は部屋部に加湿器と、排気装置とを備えており、排気装置は外気を室温に近づけて給気することを特徴とする温暖室。
【発明の詳細な説明】
【０００１】
【発明の属する技術分野】
本発明は、温暖室に関するものである。
【０００２】
【従来の技術】
従来、サウナは発汗により体の新陳代謝を高め、汗と共に老廃物を排出する効能を有し、美容と健康に良いことが知られている。一般に、サウナは特開平１０−８５３０１号公報で示されるように、サウナ室に電気ヒータ等の電熱器を設け、熱照射により室内の温度を上げて、発汗作用を促すようにしている。
【０００３】
【発明が解決しようとする課題】
最近では、業務用のみならず一般家庭においてもサウナを利用するケースが増えてきており、子供から高齢者まで入浴を楽しんでいる。このため長時間くつろぐことができ、且つ健康の維持及び増進を図るための機能を備えたサウナが求められている。
【０００４】
本発明は、保温効果が高く且つ、健康の維持及び増進を図ることができる温暖室を提供することを目的とする。
【０００５】
【課題を解決するための手段】
請求項１に記載の発明は、部屋部と、部屋部の室内を加温するヒータとを備える温暖室において、室内の床及び天井は桐材で構成し、室内の側壁は桐材及び珪藻土材で構成されていることを特徴とする。
【０００６】
この請求項１に記載の発明では、室内の床及び天井は桐材で構成されているので断熱効果に優れ、ヒータによる加温開始から所定の温度に上昇するまでの時間を短縮することができ、且つ省エネ化を図ることができる。
【０００７】
桐材や珪藻土材が熱を受けることで遠赤外線が放出し、温暖室にいる人の血行が促進し新陳代謝が活発になる。また、遠赤外線により人体の保温効果が高まり、脂肪燃焼や発汗作用による老廃物の排泄を促すことで健康の維持及び増進を図ることができる。
【０００８】
また、室内の側壁を桐材と珪藻土材とすることで、桐材と珪藻土が持つ調湿効果により、室内の湿度を略一定に保つことができる。珪藻土材が室内の悪臭を吸収するので消臭効果を得ることもできる。
【０００９】
請求項２に記載の発明は、請求項１に記載の発明において、珪藻土材は桐材を下地材としたパネル体であることを特徴とする。
【００１０】
この請求項２に記載の発明では、請求項１に記載の発明と同様の作用効果を奏するとともに、珪藻土材が桐材を下地材として構成することで、施工が容易である。
【００１１】
請求項３に記載の発明は、請求項１又は２に記載の発明において、珪藻土材は珪藻土と石灰とパルプ材とを主成分とし、これらの成分にマイナスイオン水が混入されていることを特徴とする。
【００１２】
この請求項３に記載の発明では、請求項１又は２に記載の発明と同様の作用効果を奏するとともに、珪藻土材にマイナスイオン水が混入されているので、室内の温度が上昇とともに、珪藻土材に含まれるマイナスイオンが室内に放出される。従って、人体がマイナスイオンを浴びることにより、血行が良くなり心身のリラックスを図ることができる。
【００１３】
請求項４に記載の発明は、請求項１に記載の発明において、側壁は室内側と室外側に設けた桐材で断熱材を挟んでいることを特徴とする。
【００１４】
この請求項４に記載の発明では、請求項１に記載の発明と同様の作用効果を奏するとともに、側壁を室内側と室外側に設けた桐材で断熱材を挟んでいるので、断熱効果を更に高めることができるとともに、側壁の強度を高めることができる。
【００１５】
請求項５に記載の発明は、請求項１乃至４に記載の温暖室は部屋部に加湿器と、排気装置とを備えており、排気装置は外気を室温に近づけて給気することを特徴とする。
【００１６】
この請求項５に記載の発明では、請求項１乃至４に記載の発明と同様の作用効果を奏するとともに、加湿器で室内に湿度を付与してサウナとして利用を図ることができる。いわゆるサウナにおいても桐材や珪藻土により快適な湿度に保つことができる。また、排気装置では外気を室温に近づけて給気するようにしており、室内の温度の大幅な低下を防ぎ、断熱効果を高めることができる。
【００１７】
【発明の実施の形態】
以下に本発明の実施の形態を図面に基づいて具体的に説明する。図１は本発明に係る温暖室を概略的に示した断面図、図２は温暖室の内部を部分的に示す斜視図、図３は図１の天井と側壁とを拡大して示す断面図である。図４は側壁の変形例を示す断面図、図５は温暖室の室内の温度や湿度等の経時的な変化を示すグラフである。
【００１８】
本実施の形態にかかる温暖室１は建物の屋上や庭に設置するものであり、部屋部３には利用者が腰掛けたり横に寝たりするための段部２１と、室内の湿度を調整する加湿器２３と、室内を加温するためのヒータ２５が設けられている。
【００１９】
部屋部３は天井１５と床１７と側壁１３とに囲まれており、側壁１３は、内側のパネルと外側のパネルとで構成した二重構造であり、側壁１３を二重構造とすることで断熱効果を高めている。室内に露出する内側パネルは上部７を珪藻土材、下部５を桐材とし、外側パネルは断熱材９であり内側パネルに圧着されている。天井１５及び床１７も桐材の外側に断熱材９を配した二重構造としている。なお、側壁１３は下地として桐材を用い、その上に珪藻土材を重ね合わせたパネル体としても良い。
【００２０】
床１７が桐材で構成されているので、クッション性があり転んでもケガをしにくく、足腰への負担も少ない。
【００２１】
また、図４に示すように側壁１３を室内側と室外側に設けた桐材で断熱材９を挟むように設けても良い。側壁１３を室内側と室外側に設けた桐材で断熱材９を挟むことにより、断熱効果を更に高めることができるとともに、側壁１３を三層構造としているので側壁１３の強度を高めることができる。
【００２２】
珪藻土材は珪藻土の鉱石を約８００℃まで熱して炭化したものと石灰とパルプ材とを所定の割合で配合し、この中にマイナスイオン水を混入させたものである。
【００２３】
側壁１３の一部を珪藻土材で構成するので、珪藻土の持つ調湿効果により、室内の湿度を一定に保つことができる。また、珪藻土材が室内の悪臭を吸収するので消臭効果も期待できる。
【００２４】
また、珪藻土材にマイナスイオン水が混入されているので、室内の温度が上昇すると、マイナスイオンが室内に放出される。従って人体がマイナスイオンを浴びることにより心身のリラックスを図ることができ、健康の増進を図ることができる。尚、本実施の形態の温暖室１で、マイナスイオンの発生量を測定した結果、マイナスイオンは自然界で発生する量（約３０００個／ｃｍ３）よりも多い約５０００個／ｃｍ３以上発生していた。また、天然の素材であるので合板の接着材に含まれるホルムアルデヒドのような有害な物質が発生しない。
【００２５】
ヒータ２５は、カーボンで構成された薄型のシート形状で床下の２枚の桐材に挟まれるように設置されており、部屋部３を加熱して室内を所定の温度（約３０℃乃至４０℃）まで上昇させる。例えば、ヒータ２５の設定温度は約５８℃に設定されている。
【００２６】
段部２１は桐材の座板２７及び脚２９からなり、側壁１３に沿って設けられる。座板２７には床下に設置したものと同様のヒータ２５が内蔵されており、座板２７に腰掛けた際に体を直接的に温めるようにしている。また、座板２７には枕３１が備えられており、この枕３１は外周を桐材とし、桐材の中央に木炭が収納されている。
【００２７】
部屋部３の上部には、排気装置１１が設けられており、室外から新鮮な空気を給気しながら、室内の汚れた空気を排気している。また、排気装置１１には熱交換器が内蔵されており、外気を室温に近づけて給気するようにして、室内の温度が下がらないようにしている。
【００２８】
次に、上記した構成に基づき、本実施の形態の作用を説明する。本実施の形態の温暖室１をサウナとして利用する場合には、温暖室１の下部に設けられたヒータ２５の加熱により、熱は室内で対流を繰り返して温度が次第に上昇していく。また同時に、加湿器２３の駆動により湿度を付与し、室内の湿度が適湿範囲（約５０％乃至６０％）になるようにする。
【００２９】
また、部屋部３に設けられた図示しない温度センサにより温度の制御を行い、室内を最適な温度（例えば３０℃〜４０℃）を保つようにしている。
【００３０】
室内の床１７及び天井１５は桐材で構成されているので断熱効果に優れ、ヒータ２５のスイッチを入れてから所定の温度に上昇するまでの時間を短縮することができ、ヒータのスイッチを入れてから所定の温度に上昇するまでの時間を短縮することができ、省エネ化を図ることができる。尚、本実施形態の温暖室１の消費電力は約８００Ｗ／ｈである。
【００３１】
温暖室１のヒータ及び加湿装置２３を駆動させた後の室内の温度及び湿度を計測したので、その関係を図５に示す。図５に示すグラフは、横軸に時間、縦軸に温度及び湿度を示しており、室内の温度及び湿度等の経時変化をプロットしたものである。図５に示すグラフのように、湿度は約３０分で適湿範囲まで到達した後、ほぼ一定の値で推移することが明らかである。また室温も同様に約１時間で適温範囲（３２℃乃至３８℃）に到達し、適温になってからの温度変化も少ないことが明らかである。このように、実験の結果からも本発明の温暖室１が温度に上昇するまでの時間を短縮することができ、また一度温まった室内の温度を長時間維持することができ、省エネ化を図ることができることができた。
【００３２】
本実施の形態にかかる温暖室１においては、桐材や珪藻土材が熱を受けることで遠赤外線が放出することで、血行が促進し新陳代謝が活発になる。また、遠赤外線により保温効果が高まり、脂肪燃焼や発汗作用による老廃物の排泄を促すことで健康の維持及び増進を図ることができる。
【００３３】
温暖室１を利用した人の汗を回収する実験をしたところ、入浴してはじめのうちに出る汗は透明な色を呈していたが、入浴してしばらく経過して出てくる汗の色は薄黄色を呈していた。このことから、運動時や普通のサウナに入浴した場合の透明の汗に比べて、老廃物の排泄が新陳代謝を高めることが明らかである。
【００３４】
本実施の形態では、温暖室１は体温に近い約３０℃乃至４０℃に設定されているので、長時間の入浴が可能となり、遠赤外線を十分浴びることができ、保温効果を更に高めることができる。また、体に過度な負担がかからず、高齢者や子供でも安心して利用できる。
【００３５】
図６は、温暖室を利用した人の血液の経時的な変化を示す顕微鏡写真を写した図である。この検査は１日あたり３０分から１時間程度入浴し、入浴後に血液検査を行ったもので、２００２年１月６日から２００２年１月１６日までの１０日間、血液を日毎に、写真撮影した結果を写した図である。１日目は赤血球が重なり合ってドロドロした状態であるのに対し、１０日後には赤血球の重なりが解消されてサラサラした状態であった。
【００３６】
また、同時に体脂肪率及び基礎体温を計測した。その結果、温暖室を利用する以前には体脂肪率は１７％であったが、１０日後に測定したところ１５％となり、使用前に比べて約２％減少した。基礎体温は、使用前は３６．３℃であったが、１０日後の測定では３６．３℃になり、使用前に比べて約１℃上昇した。
【００３７】
以上の結果から、本実施形態の温暖室１を利用した結果、血行が良くなり、体内の余分な老廃物を排泄することができ、これにより健康の維持増進を図ることができる。
【００３８】
また、本実施の形態の温暖室１を利用した数人にアンケート調査を行ったところ、肩こりや冷え性等の不定愁訴が解消されたという回答が得られた。
【００３９】
本発明は、上述のような実施例に限定されず、その要旨を逸脱しない範囲内において種々の変形が可能である。例えば、本実施の形態では、温暖室１を主にサウナを目的とした利用を想定して説明したが、これに限定されず乾燥室として利用しても良い。防音効果が高いので、防音室として利用しても良い。
【００４０】
本実施形態の温暖室１は建物の屋上や庭に設置するものとしたが、これに限定されず建物の中に温暖室１を施工するものであっても良い。
【００４１】
また、室内の温度は本実施の形態では、例えば３０℃〜４０℃の範囲に設定したが、これに限定されず例えば４０℃以上の高温に設定しても良い。
【００４２】
側壁１３は、内側パネルは上部を珪藻土材、下部を桐材としたが、これに限定されず、内側パネル全体を桐材として、上部の桐材の表面のみに塗り作業により珪藻土を設けるようにしても良い。また側壁１３は、内側パネルは上部を桐材、下部を珪藻土としても良い。
【００４３】
【発明の効果】
請求項１に記載の発明では、室内の床及び天井は桐材で構成されているので断熱効果に優れ、ヒータによる加温開始から所定の温度に上昇するまでの時間を短縮することができ、且つ省エネ化を図ることができる。
【００４４】
桐材や珪藻土材が熱を受けることで遠赤外線が放出し、温暖室にいる人の血行が促進し新陳代謝が活発になる。また、遠赤外線により人体の保温効果が高まり、脂肪燃焼や発汗作用による老廃物の排泄を促すことで健康の維持及び増進を図ることができる。
【００４５】
また、室内の側壁を桐材と珪藻土材とすることで、桐材と珪藻土が持つ調湿効果により、室内の湿度を略一定に保つことができる。珪藻土材が室内の悪臭を吸収するので消臭効果を得ることもできる。
【００４６】
請求項２に記載の発明では、請求項１に記載の発明と同様の効果を奏するとともに、桐材を下地材として珪藻土材を構成することで、施工が容易である。
【００４７】
請求項３に記載の発明では、請求項１又は２に記載の発明と同様の効果を奏するとともに、珪藻土材にマイナスイオンが混入されているので、室内の温度が上昇すると、マイナスイオンが室内に放出されることにより、心身のリラックスを図ることができ、健康の増進を図ることができる。また、天然の素材であるのでホルムアルデヒドのような有害な物質が発生しない。
【００４８】
請求項４に記載の発明では、請求項１に記載の発明と同様の効果を奏するとともに、側壁を室内側と室外側に設けた桐材で断熱材を挟んでいるので、断熱効果を更に高めることができるとともに、側壁の強度を高めることができる。
【００４９】
請求項５に記載の発明では、請求項１乃至４に記載の発明と同様の効果を奏するとともに、加湿器で室内に湿度を付与してサウナとして利用を図ることができる。いわゆるサウナにおいても桐材や珪藻土により快適な湿度に保つことができる。また、排気装置では外気を室温に近づけて給気するようにしており、室内の温度の大幅な低下を防ぎ、断熱効果を高めることができる。
【図面の簡単な説明】
【図１】本発明に係る温暖室を概略的に示した断面図である。
【図２】温暖室の内部を部分的に示す斜視図である。
【図３】図１の天井と側壁との角部を示す断面図である。
【図４】側壁の変形例を示す断面図である。
【図５】図１の温暖室の室内の温度や湿度等の経時的な変化を示すグラフである。
【図６】図１の温暖室を利用した人の血液の経時的な変化を示す顕微鏡写真を写した図である。
【符号の説明】
１　　　　　温暖室
３　　　　　部屋部
１１　　　　排気装置
１５　　　　床
１７　　　　天井
２３　　　　加湿器
２５　　　　ヒータ
【図１】
2004049727.tif 000003
【図２】
2004049727.tif 000004
【図３】
2004049727.tif 000005
【図４】
2004049727.tif 000006
【図５】
2004049727.tif 000007
【図６】
2004049727.tif 000008